(57)【要約】【課題】釣竿の把持部Ａにおける段差を解消することによって把持性を高めることのできるリールシートの取付方法および取付構造を提供する。【解決手段】固定部２４を隣接部２６ａおよび２６ｂよりも太く形成し、隣接部２６ａおよび２６ｂに滑り防止部材１４ａおよび１４ｂを装着することによって隣接部２６ａおよび２６ｂの実質的な太さを固定部２４の太さよりもやや太くする。そして、固定部２４および滑り防止部材１４ａおよび１４ｂの表面にリールシート１８を配置し、固定部２４に巻かれる巻糸２０によってリールシート１８を固定部２４に固定する。【選択図】　　　　図３
2004097143.tif 000002
【特許請求の範囲】
【請求項１】
竿管に対してリールシートを巻糸により固定するようにした、リールシートの取付方法であって、
（ａ）前記竿管の前記巻糸が巻かれる固定部をそこに隣接する隣接部よりも太く形成し、
（ｂ）前記隣接部の表面に筒状の滑り防止部材を装着することによって前記隣接部の実質的な太さを前記固定部の太さよりも太くし、
（ｃ）前記固定部および前記滑り防止部材の表面に前記リールシートを配置し、（ｄ）前記固定部の表面に巻かれる前記巻糸によって前記固定部に前記リールシートを固定する、リールシートの取付方法。
【請求項２】
竿管に対してリールシートを巻糸により固定した、リールシートの取付構造であって、
前記竿管に形成され、前記リールシートが固定された固定部、
前記竿管の前記固定部に隣接して前記固定部よりも細くなるように形成された隣接部、
前記隣接部の表面に装着されて前記隣接部の実質的な太さを前記固定部の太さよりも太くした滑り防止部材、
前記固定部および前記滑り防止部材の表面に配置されたリールシート、および前記固定部に前記リールシートを固定するために前記固定部の表面に巻かれた巻糸を備える、リールシートの取付構造。
【請求項３】
竿管に対してリールシートを巻糸により固定した、リールシートの取付構造であって、
前記竿管に形成され、前記リールシートが固定された固定部、
前記固定部に隣接して前記固定部よりも太くなるように形成された隣接部、
前記固定部および前記隣接部の表面に配置されたリールシート、および
前記固定部に前記リールシートを固定するために前記固定部の表面に巻かれた巻糸を備える、リールシートの取付構造。
【発明の詳細な説明】
【０００１】
【発明の属する技術分野】
この発明は、竿管に対してリールシートを巻糸により固定するようにした、リールシートの取付方法および取付構造に関する。
【０００２】
【従来の技術】
図１１および図１２を参照して、従来、竿管１に対してリールシート２を取り付ける際には、竿管１の表面をならして段差をなくし、その部分にリールシート２を巻糸３により固定するようにしていた。
【０００３】
そのため、巻糸３が巻かれた固定部４とそこに隣接する隣接部５との境界部には、巻糸層３ａによって段差６が生じ（図１２）、釣竿の把持部Ａにおける把持性が著しく損なわれていた。また、把持部Ａにおいては、竿管１の表面の滑りやすい塗装面を握ることとなるため、これによっても把持性が損なわれていた。
【０００４】
【発明が解決しようとする課題】
それゆえに、この発明の主たる目的は、釣竿の把持部における段差を解消することによって把持性を高めることのできる、リールシートの取付方法および取付構造を提供することである。
【０００５】
この発明の他の目的は、釣竿の把持部における滑りを防止することによって把持性を高めることのできる、リールシートの取付方法および取付構造を提供することである。
【０００６】
【課題を解決するための手段】
請求項１に記載した発明は、「竿管１２に対してリールシート１８を巻糸２０により固定するようにした、リールシートの取付方法であって、（ａ）竿管１２の巻糸２０が巻かれる固定部２４をそこに隣接する隣接部２６ａおよび２６ｂよりも太く形成し、（ｂ）隣接部２６ａおよび２６ｂの表面に筒状の滑り防止部材１４ａおよび１４ｂを装着することによって隣接部２６ａおよび２６ｂの実質的な太さを固定部２４の太さよりも太くし、（ｃ）固定部２４および滑り防止部材１４ａおよび１４ｂの表面にリールシート１８を配置し、（ｄ）固定部２４の表面に巻かれる巻糸２０によって固定部２４にリールシート１８を固定する、リールシートの取付方法」である。
【０００７】
請求項２に記載した発明は、「竿管１２に対してリールシート１８を巻糸２０により固定した、リールシートの取付構造１０であって、竿管１２に形成され、リールシート１８が固定された固定部２４、竿管１２の固定部２４に隣接して固定部２４よりも細くなるように形成された隣接部２６ａおよび２６ｂ、隣接部２６ａおよび２６ｂの表面に装着されて隣接部２６ａおよび２６ｂの実質的な太さを固定部２４の太さよりも太くした滑り防止部材１４ａおよび１４ｂ、固定部２４および滑り防止部材１４ａおよび１４ｂの表面に配置されたリールシート１８、および固定部２４にリールシート１８を固定するために固定部２４の表面に巻かれた巻糸２０を備える、リールシートの取付構造１０」である。
【０００８】
請求項１および２に記載した発明において、隣接部２６ａおよび２６ｂは固定部２４よりも細く形成されるが、隣接部２６ａおよび２６ｂに滑り防止部材１４ａおよび１４ｂを装着すると隣接部２６ａおよび２６ｂの実質的な太さが固定部２４の太さよりも太くなる。そして、固定部２４の表面に巻糸２０を巻きつけて巻糸層２０ａを形成すると、固定部２４の実質的な太さが増大し、滑り防止部材１４ａおよび１４ｂの表面と固定部２４の表面との間の段差が解消される。隣接部２６ａおよび２６ｂは固定部２４よりも細く形成されるので、滑り防止部材１４ａおよび１４ｂの肉厚が大きい場合でも固定部２４の表面と滑り防止部材１４ａおよび１４ｂの表面との間の段差４２が高くなり過ぎるのを防止できる。
【０００９】
請求項３に記載した発明は、「竿管１２に対してリールシート１８を巻糸２０により固定した、リールシートの取付構造４４であって、竿管１２に形成され、リールシート１８が固定された固定部２４、固定部２４に隣接して固定部２４よりも太くなるように形成された隣接部２６ａおよび２６ｂ、固定部２４および隣接部２６ａおよび２６ｂの表面に配置されたリールシート１８、および固定部２４にリールシート１８を固定するために固定部２４の表面に巻かれた巻糸２０を備える、リールシートの取付構造４４」である。
【００１０】
この発明において、固定部２４の表面に巻糸２０を巻きつけて巻糸層２０ａを形成すると、固定部２４の実質的な太さが増大し、隣接部２６ａおよび２６ｂの表面と固定部２４の表面との間の段差が解消される。
【００１１】
【発明の実施の形態】
図１〜図３を参照して、この発明が適用されたリールシートの取付構造１０は、竿管１２、竿管１２の外周面に装着された滑り防止部材１４ａおよび１４ｂ、竿管１２の表面にプレート１６（図２）を介して配置されたリールシート１８および竿管１２に対してリールシート１８を固定した巻糸２０等により構成される。
【００１２】
竿管１２は、強化繊維に合成樹脂を含浸させたプリプレグシートを管状に成形することにより得られたものであり、竿管１２のリールシート１８が取り付けられる部分には、図３に示すように、プリプレグシートを他の部分よりも多く巻くことによって厚肉の加工部２２が形成される。
【００１３】
そして、加工部２２の表面のリールシート１８が配置される部分には、リールシート１８が固定される複数（この実施例では３つ）の固定部２４が形成され、各固定部２４に隣接する部分には、滑り防止部材１４ａおよび１４ｂの長さとほぼ同じ長さを有する複数（この実施例では２つ）の隣接部２６ａおよび２６ｂが固定部２４よりもやや細くなるようにして形成される。
【００１４】
滑り防止部材１４ａおよび１４ｂは、釣竿の把持部Ａ（図１，図３）における滑りを防止するとともに、隣接部２６ａおよび２６ｂの実質的な太さを固定部２４の太さよりも太くするものであり、エラストマまたはゴム等のような弾性材料によって円筒状に形成される。そして、一方の滑り防止部材１４ａの表面には、リールシート１８の前部が係止される係止突部２８が形成され、他方の滑り防止部材１４ｂの表面には、プレート１６が配置される座部３０が形成される（図２，図３）。
【００１５】
また、滑り防止部材１４ａおよび１４ｂの内径は、隣接部２６ａおよび２６ｂの外径よりもやや小さく設定され、滑り防止部材１４ａおよび１４ｂの肉厚は、固定部２４の表面と隣接部２６ａおよび２６ｂの表面との間の段差３２の高さよりもやや大きく設定される。したがって、滑り防止部材１４ａおよび１４ｂを隣接部２６ａおよび２６ｂの表面に装着した状態では、滑り防止部材１４ａおよび１４ｂの内面が隣接部２６ａおよび２６ｂの表面と密着され、滑り防止部材１４ａおよび１４ｂの外径が固定部２４の外径よりも大きくなる。つまり、滑り防止部材１４ａおよび１４ｂが装着されることによって隣接部２６ａおよび２６ｂの実質的な太さが固定部２４の太さよりも太くされる。
【００１６】
なお、滑り防止部材１４ａおよび１４ｂの材質や形状は特に限定されるものではなく、たとえば、合成樹脂または金属等によって略Ｃ形の断面を有する筒状に形成されてもよいし、合成樹脂または皮革等によって隣接部２６ａおよび２６ｂの表面に巻かれる帯状に形成されてもよい。
【００１７】
リールシート１８は、図２に示すように、ベースプレート３４、ベースプレート３４の前部に取り付けられた固定フード３６ａ、ベースプレート３４の後部に取り付けられた可動フード３６ｂおよび可動フード３６ｂの動きを止めるためのロック部材３８等により構成され、ベースプレート３４の前部，後部および中央部には、巻糸２０によって固定部２４に係止される係止部４０ａ、４０ｂおよび４０ｃが形成される。
【００１８】
巻糸２０は、ベースプレート３４の係止部４０ａ，４０ｂおよび４０ｃを固定部２４に係止するために固定部２４の表面に巻かれる高強度の糸であり、巻糸２０の直径は、滑り防止部材１４ａおよび１４ｂの表面と固定部２４の表面との間の段差４２（図７）の高さよりも小さく設定される。
【００１９】
そして、巻糸２０によって形成された巻糸層２０ａの表面には、塗装が施されることによって塗装層（図示省略）が形成され、巻糸層２０ａと塗装層とによって固定部２４の表面と滑り防止部材１４ａおよび１４ｂの表面との間の段差４２（図７）が解消される。なお、巻糸層２０ａの表面には、塗装層に代えて保護カバー（図示省略）が装着されてもよく、その場合には、巻糸層２０ａと保護カバーとによって段差４２（図７）が解消されることになる。
【００２０】
以下には、リールシートの取付構造１０を構成するための「リールシートの取付方法」について説明する。この実施例の「リールシートの取付方法」では、まず、図４に示すように、竿管１２のリールシート１８が取り付けられる部分に厚肉の加工部２２を形成し、続いて図５に示すように、竿管１２の巻糸２０が巻かれる固定部２４をそこに隣接する隣接部２６ａおよび２６ｂよりも太く形成する。つまり、加工部２２（図４）の一部を切削加工により縮径させて隣接部２６ａおよび２６ｂを形成し、加工部２２の残された部分に固定部２４を確保する。
【００２１】
続いて図６および図７に示すように、隣接部２６ａおよび２６ｂの表面に滑り防止部材１４ａおよび１４ｂを装着し、これによって隣接部２６ａおよび２６ｂの実質的な太さを固定部２４の太さよりも太くする。
【００２２】
そして、図８に示すように、滑り防止部材１４ｂの座部３０にプレート１６を配置して固定部２４，滑り防止部材１４ａおよび１４ｂの表面にリールシート１８を位置決めし、固定部２４の表面に巻糸２０を巻くことによって固定部２４にリールシート１８（係止部４０ａ、４０ｂおよび４０ｃ）を固定する。その後、巻糸層２０ａ（図３）の表面に図示しない塗装を施して把持部Ａの表面を平滑に仕上げる。
【００２３】
この実施例によれば、滑り防止部材１４ａおよび１４ｂの表面と巻糸層２０ａに形成された塗装層の表面とを面一にすることができるので、釣竿の把持部Ａにおける把持性を高めることができる。また、隣接部２６ａおよび２６ｂに装着された滑り防止部材１４ａおよび１４ｂによって把持部Ａにおける滑りが防止されるので、これによっても把持性を高めることができる。
【００２４】
図９を参照して、他の実施例のリールシートの取付構造４４は、滑り防止部材１４ａおよび１４ｂを設けることなく把持部Ａにおける段差を解消するようにしたものであり、図１０からよく分かるように、上述の実施例とは逆に隣接部２６ａおよび２６ｂが固定部２４よりも太くなるように形成される。そして、図９に示すように、固定部２４および隣接部２６ａおよび２６ｂの表面にリールシート１８が配置され、このリールシート１８（係止部４０ａ、４０ｂおよび４０ｃ）が固定部２４に巻かれる巻糸２０によって固定部２４に固定される。
【００２５】
【発明の効果】
請求項１〜３に記載した発明によれば、隣接部または滑り防止部材の表面と固定部の表面との間に予め段差が設けられ、固定部に巻糸が巻かれることによってその段差が解消されるので、把持性を高めることができる。
【００２６】
請求項１および２に記載した発明によれば、隣接部に装着された滑り防止部材によって把持部における滑りを防止できるので、把持性をさらに高めることができる。
【図面の簡単な説明】
【図１】この発明の一実施例（リールシートの取付構造）を示す斜視図である。
【図２】図１実施例を示す分解斜視図である。
【図３】図１実施例を示す断面図である。
【図４】竿管に加工部を形成した状態を示す断面図である。
【図５】加工部に固定部および隣接部を形成した状態を示す断面図である。
【図６】隣接部に滑り防止部材を装着する状態を示す斜視図である。
【図７】隣接部に滑り防止部材を装着した状態を示す断面図である。
【図８】リールシートを装着する状態を示す斜視図である。
【図９】この発明の他の実施例（リールシートの取付構造）を示す断面図である。
【図１０】加工部に固定部および隣接部を形成した状態を示す断面図である。
【図１１】従来技術を示す斜視図である。
【図１２】従来技術を示す断面図である。
【符号の説明】
１０…　リールシートの取付構造
１２…　竿管
１４ａ，１４ｂ…　滑り防止部材
１６…　プレート
１８…　リールシート
２０…　巻糸
２０ａ…　巻糸層
２２…　加工部
２４…　固定部
２６ａ，２６ｂ…　隣接部
４０ａ，４０ｂ，４０ｃ…　係止部
【図１】
2004097143.tif 000003
【図２】
2004097143.tif 000004
【図３】
2004097143.tif 000005
【図４】
2004097143.tif 000006
【図５】
2004097143.tif 000007
【図６】
2004097143.tif 000008
【図７】
2004097143.tif 000009
【図８】
2004097143.tif 000010
【図９】
2004097143.tif 000011
【図１０】
2004097143.tif 000012
【図１１】
2004097143.tif 000013
【図１２】
2004097143.tif 000014